(57)【要約】【課題】脚支柱にガスシリンダを使用した丸椅子において、背もたれを取付ける仕様と取付けない仕様との切替えを、美感を悪化させることなく簡単に行えるようにする。【手段】ガスシリンダ３のプッシュバルブ１６を操作するためのレバー装置は４個の単位レバー９から成っている。各単位レバー９の内向き部９ａは第１作動体２９にねじ２２で取付けられている。座の下面を構成するカバー８には、単位レバー９の内向き部９ａが遊嵌する下向き開口の切り開き溝３１が形成されている。背もたれ１１を取り付ける場合は、隣合った２個の単位レバー９を取り外し、背支持フレーム１０の内向き枝部１２ａを切り開き溝３１に嵌め入れて補強板２１等にねじ３９で固定する。【選択図】      図１３
2005013602.tif 000002
【特許請求の範囲】
【請求項１】
脚支柱としてのガスシリンダと、前記ガスシリンダの上端部に固定した座受けベースと、前記座受け枠で支持された座板とを備えており、
前記ガスシリンダの上端面からロック解除用のプッシュバルブが突出しており、更に、着座した人が指を掛け得る高さ位置に、人が指を掛けて動かすことによってガスシリンダのプッシュバルブを操作するためのレバー装置が、ガスシリンダの軸心を囲うように配置されている椅子であって、
前記レバー装置を、円周方向に沿って配置された複数の単位レバーに分離構成している、
椅子。
【請求項２】
前記座受けベースは上向きに開口した中空状に形成されていて、ガスシリンダの上方には空間部が形成されており、前記空間部に、前記各単位レバーの動きをプッシュバルブの動きに変換するための作動体が配置されている一方、前記各単位レバーは、前記作動体に着脱可能な半径内向きの内向き部を備えており、
前記座受けベースに、各単位レバーの内向き部が動き可能な状態で嵌まる複数の切り開き溝を上向きに開口するように形成している、
請求項１に記載した椅子。
【請求項３】
前記座受けベースと座板との間に中空状のカバーが配置されていて、ガスシリンダの上方には空間部が形成されており、
前記空間部に、前記各単位レバーの動きをプッシュバルブの動きに変換するための作動体が配置されている一方、前記各単位レバーは、前記作動体に着脱可能な半径内向きの内向き部を備えており、
前記カバーに、各単位レバーの内向き部が動き可能な状態で嵌まる複数の切り開き溝を下向きに開口するように形成している、
請求項１に記載した椅子。
【請求項４】
背支持フレームを介して背もたれが取付け可能であり、前記背支持フレームに、前記座受けベース又はカバーに形成された１つ又は複数の切り開き溝に嵌まる内向き突部を設け、背支持フレームの内向き突部が切り開き溝の箇所において座板又はカバー又は座受けベース若しくは他の部材に固定可能になっている、
請求項２又は請求項３に記載した椅子。
【発明の詳細な説明】
【０００１】
【発明の属する技術分野】
本発明は、脚支柱としてガスシリンダを使用している椅子に関するものである。
【０００２】
【従来の技術】
座を回転自在に支持する脚支柱としてガスシリンダが使用されている椅子において、例えば座を平面視円形に形成して方向性を無くしたもの（丸型回転椅子）があり、この場合、座板の姿勢に関係なくガスシリンダを操作できるように、昇降用レバーをリングに形成したものがある。
【０００３】
その例として、特許文献１（実公昭５９−５４０１号公報）では、レバーを脚の下部に配置して人が足で操作するようにしており、他方、特許文献２（実公平７−１００３号公報）では、レバーを座板の下面近傍に配置して、人が手で操作するようになっている。
【０００４】
人が座の高さを調節する場合、人は中腰の状態で座への加圧状態を加減しながらレバーの操作を行うが、特許文献１の構成では、人は片足だけで姿態を支えた不安定な状態でレバー操作を行わねばならないため、レバー操作を行いにくく、また、不用意にレバーを踏んでしまうことがある虞がある。
【０００５】
これに対して特許文献２の構成は、人は両足を床に踏ん張って身体を安定させた状態でレバー操作を行えるため操作性が優れており、また、誤ってレバーを踏むような事故が生じない点でも優れていると言える。
【０００６】
【特許文献１】
実公昭５９−５４０１号公報
【特許文献２】
実公平７−１００３号公報
【０００７】
【発明が解決しようとする課題】
従来のレバーは単なるリングに過ぎないため、変化に乏しくてデザイン的に劣るという問題があった。
【０００８】
また、丸型回転椅子に背もたれを取付けることがあり、この場合、背もたれは、座受けベースや座に固定される背支持フレームに取付けることになるが、従来のようにレバーが単なるリングに過ぎない構成では、背支持フレームとレバーとの干渉を回避するには、レバーを背支持フレームの下方に配置するか、或いは、逆に、レバーの下方に背支持フレームを配置するかせねばならず、すると、レバー又は背支持フレームが下方に大きくはみ出た状態になるため、体裁が良くないという問題が生じる虞がある。
【０００９】
また、背もたれを取付けていて座板の姿勢に方向性があるにも拘らず、レバーはリングのままで全周にわたって延びているため、人が着座したまま椅子を後退させたときにレバーが後部において建物の壁等に当たることにより、座板が突然下降してしまうような不測の事態や、着座している椅子の近くを歩いている人がレバーに触れることによって座板が突然下降するという不測の事態が生じる。
【００１０】
このような事態を回避するには、背もたれを取付ける場合のための非リング状のレバーを別に用意しなければならないが、これでは、レバーの種類が増えるため製造コストが嵩むという別の問題が生じる。
【００１１】
本発明は、このような現状を改善することを課題とするものである。
【００１２】
【課題を解決するための手段】
請求項１の発明では、脚支柱としてのガスシリンダと、前記ガスシリンダの上端部に固定した座受けベースと、前記座受け枠で支持された座板とを備えており、前記ガスシリンダの上端面からロック解除用のプッシュバルブが突出しており、更に、着座した人が指を掛け得る高さ位置に、人が指を掛けて動かすことによってガスシリンダのプッシュバルブを操作するためのレバー装置が、ガスシリンダの軸心を囲うように配置されている椅子であって、前記レバー装置を、円周方向に沿って配置された複数の単位レバーに分離構成している。
【００１３】
請求項２の構成では、請求項１において、前記座受けベースは上向きに開口した中空状に形成されていて、ガスシリンダの上方には空間部が形成されており、前記空間部に、前記各単位レバーの動きをプッシュバルブの動きに変換するための作動体が配置されている一方、前記各単位レバーは、前記作動体に着脱可能な半径内向きの内向き部を備えており、前記座受けベースに、各単位レバーの内向き部が動き可能な状態で嵌まる複数の切り開き溝を上向きに開口するように形成している。
【００１４】
請求項３の発明では、請求項１において、前記座受けベースと座板との間に中空状のカバーが配置されていて、ガスシリンダの上方には空間部が形成されており、前記空間部に、前記各単位レバーの動きをプッシュバルブの動きに変換するための作動体が配置されている一方、前記各単位レバーは、前記作動体に着脱可能な半径内向きの内向き部を備えており、前記カバーに、各単位レバーの内向き部が動き可能な状態で嵌まる複数の切り開き溝を下向きに開口するように形成している。
【００１５】
請求項４の発明では、請求項２又は請求項３において、背支持フレームを介して背もたれが取付け可能であり、前記背支持フレームに、前記座受けベース又はカバーに形成された１つ又は複数の切り開き溝に嵌まる内向き突部を設け、背支持フレームの内向き突部が切り開き溝の箇所において座板又はカバー又は座受けベース若しくは他の部材に固定可能になっている。
【００１６】
【発明の作用・効果】
本願発明のように、レバー装置が複数の単位レバーに分離構成されていると、従来のような単純なリングに過ぎない場合に比べてレバー装置の形態は変化に富んだものになるため、人目を引く斬新なデザインとして商品価値を高めることが可能になる。
【００１７】
請求項２及び請求項３のように、各単位レバーの内向き部を作動体に固定していると、背もたれを取り付けることによって椅子に方向性が生じる場合、不要となる単位レバーを取り外せば足りるため、背もたれを取付けることに簡単に対応できる。
【００１８】
また、各単位レバーは同じ形態・寸法とすれば良いため、製造コストを抑制することができる。更に、背もたれを取付ける場合は椅子の背部に位置する単位レバーは取り外せば良いため、人が着座した状態で椅子を後ろに移動させることよって壁や家具類に当たったり、他の人が椅子の近くを歩いて触れたりしても単位レバーが動くようなことはないため、ガスシリンダのロックが不意に解除されるような事故はなく、安全性が高い。
【００１９】
請求項４のように構成すると、単位レバーの内向き部が入る切り開き溝を背支持フレームの内向き部に利用されるため、それだけ構造を簡単化してコスト抑制に貢献できる。また、単位レバーと背支持フレームとは互いに干渉しない状態でできるだけ上方に配置できるため、単位レバーや背支持フレームが大きく露出することを回避して体裁を良くすることができる。
【００２０】
【発明の実施形態】
次に、本発明の実施形態を図面に基づいて説明する。
【００２１】
（１）．第１実施形態（図１〜図１４）
図１〜図１４では第１実施形態を示している。まず、図１〜図４に基づいて概要を説明する。
【００２２】
（ａ）．概要
図１に示すように、椅子は、脚１と平面視円形の座２とを備えており、脚１は、脚支柱としてのガスシリンダ３と、これを支持する接地部４とを備えている。接地部４にはキャスター５を取付けている。また、ガスシリンダ３は脚カバー６で覆われている。
【００２３】
ガスシリンダ３の上端には金属板製の座受けベース７が固定されており、この座受けベース７で座２が支持されている。座２はカバー（アウターシェル）８を備えており、ガスシリンダ３のロックを解除するための４個の単位レバー９が、カバー８を囲うように配置されている（正確には、各単位レバー９の指掛け部がカバー８を囲うように延びている）。単位レバー９の群は全体として環状に延びているので、座２がどのような姿勢であっても、いずれかの単位レバー９に指を掛けることができる。
【００２４】
図２〜図４のように、椅子には、背支持フレーム１０を介して背もたれ１１が取付けられる。図２は正面図、図３は平面図、図４は右側面図である。本実施形態では、背支持フレーム１０は、座２のカバー８の半周程度を囲う平面視半円状の基部１２と、基部から側面視で斜め後方に向けて延びる立ち上がり部１３とから成っており、立ち上がり部１３に背もたれ１１を取付けている。
【００２５】
既述のとおり４個の単位レバー９が円周方向に配置されているが、各単位レバー９は着脱可能であり、隣合った２個の単位レバー９を取り外して、取り外した２個の単位レバー９の代わりに背支持フレーム１０を取付けることができる（詳細は後述する）。
【００２６】
背もたれ１１は背板の前面にクッションを張った構造になっている（クッションなしでも良い）。背板を背支持フレーム１０に一体成形しても良い。また、背もたれ１１は弾性に抗して後傾動するように背支持フレーム１０に取付けることも可能である。
【００２７】
（ｂ）．構造の詳細
次に、図５以下の図面を参照して構造の詳細を説明する。図５は図６の  Ｖ−Ｖ視方向から見た縦断面図、図６のうち（Ａ）は図５の  ＶＩＡ−ＶＩＡ視平断面図、図７は図６（Ａ）の  ＶＩＩ−ＶＩＩ視方向から見た縦断面図、図８は主要部材の分離正面図、図９はカバーをひっくり返した状態での部分斜視図、図１０は座板の底面図、図１１のうち（Ａ）は主要部材の分離図、（Ｂ）（Ｃ）はそれぞれ（Ａ）のＢ−Ｂ視、Ｃ−Ｃ視平面図、図１２は動きを説明するための図である。
【００２８】
敢えて説明するまでもないが、ガスシリンダ３は、摺動可能に嵌まり合った外筒と内筒とを備えており、例えば図５に示すように、ガスシリンダ３の上部はホルダー１５に嵌着している。ガスシリンダ３の上端面からはロック解除用のプッシュバルブ１６が突出している。プッシュバルブ１６を下方に押すとロックが解除されてガスシリンダ３はガス圧によって伸長する。
【００２９】
例えば図５から理解できるように、座受けベース７は平面視円形で上向きに開口した碗状に形成されており、上端にはフランジ７ａを設けている。また、座受けベース７の内部には補助板１７を固着しており、この補助板１７にガスシリンダ用ホルダー１５の上部が固着されている。かつ、補助板１７には、ガスシリンダ３を囲う受け筒１８が固着されている。
【００３０】
座２は、合成樹脂製の座板（インナーシェル）１９と、その上面に張ったクッション２０と、座板１９の下面に配置した金属板製の補強板２１と、補強板２１を下方から覆う中空状のカバー８とで構成されている。
【００３１】
カバー８は、座受けベース７のフランジ７ａに重なって上向きに広がるようにドーナツ状でかつテーパ状に形成されており、座板１９に、平面視で座受けベース７のフランジ７ａに重なる足部１９ａを円周方向に沿って等間隔で４個設け、この足部１９ａとカバー８と座受けベース７とをボルト２２及びナット２３で共締めしている。
【００３２】
本実施形態のようにナット２３を使用する場合は、ナット２３は足部１９ａに埋設しておくのが好ましい。また、ナット２３を使用せずに、タッピンねじ等のボルト２２を座板１９の足部１９ａにねじ込むことも可能である。
【００３３】
補強板２１は、座板１９における足部１９ａの群を囲うようにリング状に形成されている。また、補強板２１は、カバー８に設けたねじ筒２４にタッピンねじ等のねじ２５で固定されている（ねじ止めは必ずしも必要ない）。
【００３４】
更に、座板１９の円周方向に沿って複数の箇所に係合爪２６を形成し、この係合爪２６を補強板２１に設けた係合穴に嵌め入れることにより、補強板２１を座板１９に一体に取付けている。座板１９の下面には放射状に延びる多数の補強リブ２７を設けている。
【００３５】
図５や図７に示すように、カバー８で囲われた空間部内には金属板製の第１作動体２９が配置されている一方、座板１９には、第１作動体２９の上面に当たる平面視円形の支点用リブ３０が形成されている。支点用リブ３０は座板１９と同心に形成されている。図６に示すように、第１作動体２９は平面視略四角形に形成されている。
【００３６】
各単位レバー９は合成樹脂製で略板状に形成されており（金属板製でも良い）、図７から理解できるように、外周部が低くて内周部が高くなるように傾斜している。また、各単位レバー９は、その内周面に指を掛けて上方や水平方向に引くことができる。
【００３７】
図６（Ａ）から理解できるように、各単位レバー９の両端には平面視で椅子の軸心に向けて延びる一対の内向き部９ａが一体成形されており、両内向き部９ａの先端部は一体に繋がって内向き端部９ｂになっている。
【００３８】
各単位レバー９の内向き先端部９ｂは平面視で直角の形態を成しており、このため、内向き先端部９ｂの群は全体として１枚板の状態を呈している。そして、各内向き先端部９ｂをビス３２で第１作動体２９に固定している。従って、各単位レバー９は第１作動体２９に取付け・取り外しは自在である。
【００３９】
隣合った単位レバー９の内向き部９ａは、半径内側に位置した半分程度の部分は側面同士が互いに重なっており、その外側の部分は半径外側に行くに従って間隔が広がっている。このため、４個の単位レバー９の群で恰かも花びらのような形態が構成されており、このため斬新なデザインとなって美感に優れている。
【００４０】
カバー８には、隣合った２本の内向き部９ａが遊嵌する下向き開口の切り開き溝３１が形成されている。切り開き溝３１は、単位レバー９の内向き部９ａが水平方向にある程度の寸法だけ移動し得る幅寸法であり、かつ、カバー８の上端部近傍まで位置する深さになっている。
【００４１】
第１作動体２９には中心穴３３が空いている一方、各単位レバー９の内向き先端部９ｂの群には、下向きに開口した作動筒３４が重なっており、作動筒３４に設けた上向きの中心突起３５を第１作動体２９の中心穴３３に強制嵌合している。また、作動筒３４には、位置決め手段の一例として、各単位レバー９の内向き先端部９ｂに対応して嵌合ピン３６を上向きに突設し、この嵌合ピン３６を、各単位レバー９の内向き先端部９ｂに形成した係合穴３７に強制嵌合している。
【００４２】
このように、作動筒３４が第１作動体２９と各単位レバー９の内向き先端部９ｂとに強制嵌合していることにより、作動筒３４はねじ止めしなくても脱落不能に保持され、また、単位レバー９を２個だけ設けた場合でも、ガタ付き不能に保持される。
【００４３】
座受けベース７に設けた受け筒１８の内部には、合成樹脂製等の第２作動体３８が上下動自在で水平動不能に嵌まっている。第２作動体３８の中心部には上窄まりの山形部３８ａが形成されており、作動筒３４は山形部３８ａの裾を囲うような状態で第２作動体３８の上面に当接している。
【００４４】
本実施形態では第１作動体２９に支点用リブ３０を座板１９に形成しているが、支点用リブ３０はカバー８に形成することも可能である。この場合は、補強板２１は中心部まで広がる非リング状に形成するのが好ましい（そうすると、着座した人の重みで座板１９が変形しても、その影響が両作動体２９，３８に及ぶことを防止できる）。
【００４５】
（ｃ）．座の昇降操作
図１２（Ａ）に示すように、任意の単位レバー９に指を掛けて上方に引き上げたり下方に押し下げたりすると、単位レバー９の群全体及び第１作動体２９は座板１９の支点用リブ３０を支点にして傾斜し、すると、第２作動体３８がてこ作用で押し下げられる。
【００４６】
また、図１２（Ｂ）に示すように、任意の単位レバー９に指を掛けて水平方向に引いたり押したりすると、単位レバー９の群及び第１作動体２９は水平動し、すると、第２作動体３８は、その山形部３８ａがテーパ状であるために作動筒３４に下降動し、これまたプッシュバルブ１６が押し下げられてガスシリンダ３のロックが解除される。
【００４７】
このように、任意の単位レバー９に指を掛けてどのように動かしてもプッシュバルブ１６を押してガスシリンダ３のロック解除できるため便利である。なお、人が単位レバー９を操作する場合、単位レバー９を斜め上向きに引くというように、水平方向の引っ張り力と上下方向の引っ張り力とが複合していることが多いが、本実施形態では、このような場合も第２作動体３８が確実に下降してプッシュバルブ１６を押し下げることができる。
【００４８】
ところで、人が座２の昇降操作を行う場合、一般に、手の平のうち手首寄りの部分を座板１９の縁に当ててレバーに指を掛けるもので、このため、レバーを水平方向に引く傾向が強い。その場合、特許文献２のようにレバーが上下動（傾動）しかしない構成では、人が指で引く方向とレバーの動き方向とがマッチせずに、レバーが引っ掛かったような状態になってスムースに操作できない虞がある。
【００４９】
これに対して本実施形態では、人がどのような方向に力を掛けても単位レバー９は確実に動いてプッシュバルブ１６が押し下げられるため、使用者に引っ掛かり感を与えることなく、レバー操作を軽快に行うことができる。
【００５０】
（ｃ）．背もたれの取付け仕様
図１３は２個の単位レバー９を取り外して背もたれ１１を取付けた状態での底断面図、図１４は図１３のＸＩＶ−ＸＩＶ  視断面図である。これらの図に示すように、背支持フレーム１０の基部１２には、カバー８の切り開き溝３１に嵌まる３本の内向き枝部１２ａを一体に設けており、この内向き枝部１２ａをねじ３９で補強板２１に締結している。
【００５１】
背支持フレーム１０の内向き枝部１２ａはカバー８における切り開き溝３１の底板を貫通しており、従って、背支持フレーム１０の内向き枝部１２ａとカバー８と補強板２１とが共締めされている。
【００５２】
補強板２１に予め雌ねじを造形するか、又はナットを溶接しておいても良いし、ねじ３９としてタッピンねじやドリルねじを使用することにより、予め雌ねじを造形したりナットを溶接したりする工程を省くことも可能である。
【００５３】
カバー８の切り開き溝３１は、単位レバー９が上向き動してもその上方に十分な空間が空くような深さに設定されている。そして、背支持フレーム１０の内向き枝部１２ａのうち手前側に位置した２本の内向き枝部１２ａは、単位レバー９を上向き動させても干渉しない厚さに設定している。このため、切り開き溝３１に単位レバー９の内向き部９ａが嵌まっていても、単位レバー９の操作を阻害することなく、背支持フレーム１０の内向き枝部１２ａを固定することができる。
【００５４】
背支持フレーム１０における３本の内向き枝部１２ａのうち背部に位置したものは、他のものと同じ形状でも良いし、切り開き溝３１の深さと同じ程度の厚さに設定しても良い。
【００５５】
このように、単位レバー９は背支持フレーム１０の箇所には存在しないため、単位レバー９が壁に当たったり人が過って触ったりすることによって突然にガスシリンダ３のロックが解除されるような不具合は生じない。
【００５６】
また、単位レバー９を取付けるための切り開き溝３１を利用して背支持フレーム１０を取付けるものであるため、背支持フレーム１０は座板１９の下面に近づけることができて、体裁が悪化することもないのである。なお、背支持フレーム１０は合成樹脂製でも良いし、金属製でも良い。
【００５７】
（２）．第２実施形態（図１５）
図１５では第２実施形態を示している。この実施形態では、レバー手段は３個の単位レバー９に分割されており、各単位レバー９に２本ずつの内向き部９ａを設けている。この場合、各単位レバー９の内向き部９ａと互いに離反しており、このため、カバー８には円周方向に等間隔を隔てて（すなわち６０°間隔で）６つの切り開き溝３１を形成している。
【００５８】
そして、背支持フレーム１０には４本の内向き枝部１２ａが形成されており、これらをカバー８又は補強板にねじで締結している。この実施形態では背支持フレーム１０の内向き枝部１２ａと単位レバー９の内向き部９ａとが同じ切り開き溝３１に入ることはないので、背支持フレーム１０の内向き枝部１２ａの厚さは任意の寸法に設定できる。
【００５９】
（３）．第３実施形態（図１６）
図１６では、第３実施形態を示している。本実施形態は請求項２に対応したもので、座受けベース７に、単位レバー９の内向き部９ａと背支持フレーム１０の内向き枝部１２ａとが選択的に又は同時に嵌まる上向き開口の切り開き溝３１を形成している。
【００６０】
この実施形態では、座受けベース７で囲われた空間部にガスシリンダ３の上部を囲う円形の囲い枠４１を設け、囲い枠４１の内部に円板状の作動体４２を配置し、作動体４２にカバー８の内向き部９ａをねじ４３で着脱できるようになっている。
【００６１】
作動体４２には、ガスシリンダのプッシュバルブ１６にヘッド４４が下方から高さ調節可能にねじ込まれており、ヘッド４４はロックナット４５で作動体４２に固定されている。背支持フレーム１０の内向き端部１２ａは補助板４６に締結されている。
【００６２】
（４）．その他
本発明は上記の実施形態の他にも様々に具体化することができる。例えばレバー内は４分割方式や３分割方式には限らず、２分割方式や５分割方式など、任意の個数の単位レバーに分割できる。
【００６３】
また、背支持フレームや背もたれの形状もデザイン等に応じて任意に設定することができる。背支持フレームとその内向き枝部とは一体成形する必要はなく、例えば内向き枝部に対して、トーションバーのような弾性支持手段を介して背支持フレームを取付けることにより、背もたれが後傾動するように構成することも可能である。
【００６４】
また、本発明は、移動自在な椅子には限らず、脚支柱を床に固定した椅子にも適用することができる。各単位レバーは銀杏葉状（或いは扇状）に形成して、各単位レバーに１つの内向き部を設けても良い。
【図面の簡単な説明】
【図１】背もたれを取付けていない使用での第１実施形態の正面図である。
【図２】背もたれを取り付けた仕様の正面図である。
【図３】背もたれを取り付けた仕様の平面図である。
【図４】背もたれを取り付けた仕様の右側面図である。
【図５】図６の  Ｖ−Ｖ視方向から見た縦断面図である。
【図６】（Ａ）は図５の  ＶＩＡ−ＶＩＡ視平断面図、（Ｂ）は第１作動体の平面図である。
【図７】図６（Ａ）の  ＶＩＩ−ＶＩＩ視方向から見た縦断面図である。
【図８】部材の分離正面図である。
【図９】カバーの部分斜視図である。
【図１０】座板の底面図である。
【図１１】（Ａ）は主要部材の分離図、（Ｂ）（Ｃ）はそれぞれ（Ａ）のＢ−Ｂ視、Ｃ−Ｃ視平面図である。
【図１２】作用を説明するための図である。
【図１３】背もたれを取付けた状態での底断面図である。
【図１４】図１３のＸＩＶ−ＸＩＶ  視断面図である。
【図１５】第２実施形態の底面図である。
【図１６】第３実施形態を示す縦断面図である。
【符号の説明】
１  脚
２  座
３  脚支柱としてのガスシリンダ
７  座受けベース
８  カバー
９  単位レバー
９ａ  内向き部
９ｂ  内向き端部
１０  背支持フレーム
１２ａ  内向き枝部
１６  プッシュバルブ
１８  受け筒
２９  第１作動体
３０  支点用リブ
３１  切り開き溝
３８  第２作動体
【図１】
2005013602.tif 000003
【図２】
2005013602.tif 000004
【図３】
2005013602.tif 000005
【図４】
2005013602.tif 000006
【図５】
2005013602.tif 000007
【図６】
2005013602.tif 000008
【図７】
2005013602.tif 000009
【図８】
2005013602.tif 000010
【図９】
2005013602.tif 000011
【図１０】
2005013602.tif 000012
【図１１】
2005013602.tif 000013
【図１２】
2005013602.tif 000014
【図１３】
2005013602.tif 000015
【図１４】
2005013602.tif 000016
【図１５】
2005013602.tif 000017
【図１６】
2005013602.tif 000018